(57)【要約】  曲面ディスプレイ装置は、白黒映像を投射する白黒映像投射装置、および前記白黒映像投射装置の前に配置され、所望の曲面形態を有するカラーフィルターを含む。白黒映像投射装置の前に曲面形態のカラーフィルターを配置することによって、簡単な構造に曲面ディスプレイ装置を実現することができる。【選択図】図１
2014503082.tif 000002
【特許請求の範囲】
【請求項１】
白黒映像を投射する白黒映像投射装置、および
前記白黒映像投射装置の前に配置され、所望の曲面形態を有するカラーフィルター
を含む曲面ディスプレイ装置。
【請求項２】
前記カラーフィルターは、基板に形成されて前記基板が屈曲され得る厚さに食刻されて形成されるか、またはフレキシブル材質のフィルム上に形成される、請求項１に記載の曲面ディスプレイ装置。
【請求項３】
前記カラーフィルターは、前記所望の曲面形態を維持した状態で固定体に付着された、請求項１に記載の曲面ディスプレイ装置。
【請求項４】
前記白黒映像投射装置は、白黒プロジェクターまたは白黒液晶パネルである、請求項１に記載の曲面ディスプレイ装置。
【発明の詳細な説明】
【技術分野】
【０００１】
本発明は、曲面形態を有する曲面ディスプレイ装置に関する。
【背景技術】
【０００２】
ディスプレイ技術が発達することに伴って、多様な種類のディスプレイ装置が開発されて使用されている。
【０００３】
ディスプレイ装置は、通常平面形態のスクリーンを有することが一般的であるが、ディスプレイ装置の用途により曲面形態のスクリーンを有することがより適合な場合がある。
【０００４】
従来、屈曲可能なフレキシブル基板を用いて液晶パネルなどを製造して曲面ディスプレイを製造する方法が紹介されている。
【０００５】
しかし、フレキシブル基板で曲面ディスプレイを製造する場合、フレキシブル材質の特性により映像品質が低下する問題が発生することがあり、製造コストが高く、製造過程が複雑であるという問題がある。
【発明の概要】
【発明が解決しようとする課題】
【０００６】
本発明は、上記問題点を解決するために案出されたものであって、本発明の目的は、簡単な構造の曲面ディスプレイ装置を提供することにある。
【課題を解決するための手段】
【０００７】
本発明の実施形態による曲面ディスプレイ装置は、白黒映像を投射する白黒映像投射装置、および前記白黒映像投射装置の前に配置され、所望の曲面形態を有するカラーフィルターを含む。
【０００８】
前記カラーフィルターは、基板に形成されて前記基板が屈曲され得る厚さに食刻されて形成されるか、またはフレキシブル材質のフィルム上に形成され得る。
【０００９】
前記カラーフィルターは、前記所望の曲面形態を維持した状態で固定体に付着され得る。
【００１０】
前記白黒映像投射装置は、白黒プロジェクターまたは白黒液晶パネルであってもよい。
【発明の効果】
【００１１】
本発明によれば、白黒映像投射装置の前に曲面形態のカラーフィルターを配置することによって、簡単な構造で曲面ディスプレイ装置を実現することができる。
【００１２】
ひいては、カラーフィルターの形状および大きさを変化させることによって、白黒映像投射装置の形状や大きさを変化させることなく、曲面ディスプレイ装置の形状および大きさを自由に変更することができる。
【図面の簡単な説明】
【００１３】
【図１】本発明の一実施形態による曲面ディスプレイ装置の概略図である。
【図２】本発明の他の実施形態による曲面ディスプレイ装置の概略図である。
【図３】本発明の他の実施形態による曲面ディスプレイ装置の概略図である。
【図４】本発明の他の実施形態による曲面ディスプレイ装置の概略図である。
【図５】本発明の他の実施形態による曲面ディスプレイ装置の概略図である。
【発明を実施するための形態】
【００１４】
以下、本発明の実施形態を図面を参照して詳しく説明する。
【００１５】
図面において、多くの層および領域を明確に表現するために厚さを拡大して示した。明細書全体を通して類似する部分については同一の図面符号を付した。層や膜などの部分が他の部分の「前」または「後」に位置するという時、これは他の部分「直前」または「直後」に位置する場合のみならず、その中間にさらに他の部分が位置する場合も含む。反対に、ある部分が他の部分の「直前」または「直後」に位置するという時には、中間にさらに他の部分がないことを意味する。
【００１６】
図１を参照すれば、本発明の実施形態による曲面ディスプレイ装置は、白黒映像投射装置１１０を含む。本実施形態で白黒映像投射装置１１０は白黒プロジェクターであってもよい。
【００１７】
そして、白黒プロジェクター１１０の前にカラーフィルター２１０が配置される。この時、カラーフィルター２１０は所望の曲面形態を有する。ここで所望の曲面とは、曲面ディスプレイ装置の曲面の形態を意味する。カラーフィルター２１０が曲面形態を有することによって、白黒映像投射装置１１０そのものは曲面形態ではなくても曲面形態のディスプレイ装置が実現される。
【００１８】
カラーフィルター２１０は、ガラスのような基板上に形成された後、基板が屈曲され得る厚さに食刻されて所望の曲面形態に屈曲され得る。この時、図示されてはいないが、曲面形態に曲がったカラーフィルター２１０は、曲がった状態を維持するように外部のフレームなどに固定され得る。
【００１９】
一方、図２の本発明の他の実施形態によれば、カラーフィルター２２０はフレキシブル（ｆｌｅｘｉｂｌｅ）材質のフィルム上に形成されることもできる。例えば、カラーフィルター２２０がフレキシブル材質である合成樹脂フィルム上に形成され得る。
【００２０】
図１および図２には、カラーフィルター２１０、２２０の形態が例として図示されているが、カラーフィルター２１０、２２０の形態はこれらに限定されず、多様に変更可能である。
【００２１】
一方、図３を参照すれば、カラーフィルター２３０は所望の曲面形態を維持した状態で固定体３００に付着され得る。つまり、図示されているように、固定体３００にカラーフィルター２３０の所望の曲面形態と同一の曲面形態を有する面が備えられ、その面にカラーフィルター２３０が付着され得る。このように、カラーフィルター２３０が曲面形態を維持した状態で固定体３００に付着されることによって、カラーフィルター２３０の構造的強度が高まり、これによって曲面ディスプレイ装置の構造的強度が向上することができる。この時、カラーフィルター２３０は、基板に形成されて屈曲され得る厚さに食刻されて形成されることもでき、フレキシブル材質のフィルム上に形成されることもできる。
【００２２】
また、図４および５を参照すれば、白黒映像投射装置１２０は、白黒液晶パネルであってもよい。通常の液晶パネルは、互いに向き合う基板のうち、上に配置される上部基板（またはカラーフィルター基板）にカラーフィルターが形成されてカラーイメージを実現するが、本実施形態による白黒液晶パネル１２０は、カラーフィルターが削除された形態の液晶パネルである。カラーフィルター以外の構成は通常の液晶パネルと同一に構成され得るため、これについての詳細な説明は省略する。この時、図４に示されているように、基板に形成されて基板が屈曲され得る厚さに食刻されて形成されたカラーフィルター２１０が白黒液晶パネル１２０の前方に配置されることもでき、フレキシブル材質のフィルム上に形成されるカラーフィルター２２０が白黒液晶パネル１２０の前方に配置されることもできる。
【００２３】
以上のように曲面形態ではない白黒映像投射装置１１０、１２０の前方に所望の曲面形態を有するカラーフィルター２１０、２２０、２３０を配置することによって、簡単な構造でカラー映像を表示する曲面ディスプレイ装置を実現することができる。ひいては、単にカラーフィルターの形状と大きさを変更することによって、曲面ディスプレイ装置のスクリーンの形状および大きさを自由に実現することができる。
【００２４】
以上で、本発明の実施形態を説明したが、本発明の権利範囲はこれに限定されず、本発明の実施形態から本発明が属する技術分野における通常の知識を有する者により容易に変更されて均等であると認められる範囲のすべての変更および修正を含む。
【産業上の利用可能性】
【００２５】
本発明は、曲面ディスプレイ装置に関し、各種ディスプレイ装置に適用可能であるため、産業上の利用可能性がある。
【符号の説明】
【００２６】
１１１、１２０…白黒映像投射装置
２１０、２２０、２３０…カラーフィルター
３００…固定体
【図１】
2014503082.tif 000003
【図２】
2014503082.tif 000004
【図３】
2014503082.tif 000005
【図４】
2014503082.tif 000006
【図５】
2014503082.tif 000007
【国際調査報告】
2014503082.tif 000008
2014503082.tif 000009
2014503082.tif 000010
2014503082.tif 000011